(57)【要約】【課題】レバー及び保護壁を雌コネクタのコネクタハウジングから取り外す必要なく、リテーナ操作治具によるリテーナの係止解除を円滑かつ確実に短時間で行う。【解決手段】雌コネクタ１１のインナハウジング１１ａの電線引出面には、リテーナ操作治具６０を外部から挿入可能な仮係止用治具挿入孔１９が、インナハウジング１１ａへの雌型端子１７の挿入方向に沿って設けられる。また、リテーナ７０には、仮係止用リテーナ側テーパ部７１が、仮係止用治具挿入孔１９に対応して設けられる。仮係止用リテーナ側テーパ部７１は、仮係止用治具挿入孔１９からのリテーナ操作治具６０の挿入に伴って、リテーナ操作治具６０の治具側テーパ部６１と摺接され、本係止位置（図５（ａ）参照）にあるリテーナ７０を仮係止位置（図５（ｂ）参照）に変位させる。【選択図】図５
2007188783.tif 000002
【特許請求の範囲】
【請求項１】
コネクタハウジングの仮係止位置に係止された状態で、端子を前記コネクタハウジングに挿入可能とさせるとともに、本係止位置に変位された状態で前記端子を係止するリテーナを備えたコネクタにおいて、
前記コネクタハウジングには、リテーナ操作治具を外部から挿入可能な仮係止用治具挿入孔が設けられているとともに、前記リテーナ操作治具が前記仮係止用治具挿入孔から挿入され、前記リテーナに摺接することで、本係止位置にある該リテーナが仮係止位置に変位することを特徴とするコネクタ。
【請求項２】
前記リテーナが、前記リテーナ操作治具の挿入により本係止位置から仮係止位置に変位可能とさせる仮係止用リテーナ側テーパ部を備えていることを特徴とする請求項１記載のコネクタ。
【請求項３】
前記コネクタハウジングには、前記リテーナ操作治具を外部から挿入可能な本係止用治具挿入孔が設けられているとともに、前記リテーナには、前記リテーナ操作治具が前記本係止用治具挿入孔から挿入され、前記リテーナに摺接することで、仮係止位置にある該リテーナを本係止位置に変位させる本係止用リテーナ側テーパ部が設けられていることを特徴とする請求項１又は２記載のコネクタ。
【発明の詳細な説明】
【技術分野】
【０００１】
本発明は、リテーナによりコネクタハウジング内に挿入された端子を係止するコネクタに関する。
【背景技術】
【０００２】
従来からコネクタは知られている（例えば、特許文献１参照）。図７は、特許文献１で開示されているコネクタ及びリテーナ操作用治具を示す断面図である。
図７を参照すると、コネクタにおいて、雌ハウジング１００には、リテーナ挿入口１０１が、雌側端子金具１１０の挿入方向（図７中、左右方向）と略直交する方向（図中、上下方向）に沿って設けられており、同方向からリテーナ１２０が挿入される。
【０００３】
リテーナ挿入口１０１の縁部には、治具挿入口１０２が、斜め方向に沿って設けられており、リテーナ１２０に設けられた係合孔１２１に連通される。治具挿入口１０２は、挿入されたリテーナ操作用治具１３０をリテーナ１２０の係合孔１２１に到達させる。すなわち、リテーナ操作用治具１３０は、治具挿入口１０２から斜め方向に係合孔１２１に挿入された状態で、テコの原理を利用して操作されることにより、リテーナ１２０を本係止位置から仮係止位置に変位させる。
【特許文献１】特開２００３―５１３５２号公報（第３〜４頁、第５図）
【発明の開示】
【発明が解決しようとする課題】
【０００４】
しかしながら、上述した図７に示す従来のコネクタ構造では、レバー式コネクタ又はコネクタハウジングの外側に保護壁が設けられたコネクタに適用した場合、雌ハウジング１００のリテーナ挿入口１０１及び治具挿入口１０２は、レバー式コネクタにおいて、雌コネクタのコネクタハウジングに回動可能に装着されたレバー、又はコネクタハウジングの外側に設けられた保護壁の内側に位置することになる。
このため、リテーナ操作用治具１３０を治具挿入口１０２及びリテーナ１２０の係合孔１２１に挿し込むことができなくなり、レバー式コネクタのレバー及び保護壁を取り外す等によらなければ、リテーナ操作用治具１３０によるリテーナ１２０の係止解除を行うことができないという問題があった。
【０００５】
また、リテーナ操作用治具１３０を雌ハウジング１００の治具挿入口１０２からリテーナ１２０の係合孔１２１に斜め方向から挿し込み、テコの原理を利用してリテーナ１２０を仮係止位置に変位させる。このため、リテーナ操作用治具１３０を必要以上に操作すると、雌ハウジング１００とリテーナ１２０との係止機構、雌ハウジング１００の治具挿入口１０２、及びリテーナ１２０の係合孔１２１を破損する可能性があった。
【０００６】
更に、雌ハウジング１００の治具挿入口１０２及びリテーナ１２０の係合孔１２１へのリテーナ操作用治具１３０の挿し込み方向が斜め方向である。このため、円滑かつ確実な操作を行うためには、リテーナ操作用治具１３０の構造及び形状を特殊なものとする必要があり、コストが増大するという問題があった。
【０００７】
本発明は、上記事情に鑑みてなされたものであり、リテーナ操作治具によるリテーナの係止解除を行うことができるとともに、リテーナ操作治具を必要以上に操作することなく、コネクタハウジング及びリテーナの係止機構の破損等を防止することができ、更にリテーナ操作治具の構造及び形状を特殊なものとする必要なく、リテーナ操作治具による円滑かつ確実な操作を行うことができるコネクタを提供することを目的とする。
【課題を解決するための手段】
【０００８】
１）本発明のコネクタは、コネクタハウジングの仮係止位置に係止された状態で、端子を前記コネクタハウジングに挿入可能とさせるとともに、本係止位置に変位された状態で前記端子を係止するリテーナを備えたコネクタにおいて、前記コネクタハウジングには、リテーナ操作治具を外部から挿入可能な仮係止用治具挿入孔が設けられているとともに、前記リテーナ操作治具が前記仮係止用治具挿入孔から挿入され、前記リテーナに摺接することで、本係止位置にある該リテーナが仮係止位置に変位することを特徴とする。
２）また、本発明のコネクタは、前記１）に記載のコネクタにおいて、前記リテーナが、前記リテーナ操作治具の挿入により本係止位置から仮係止位置に変位可能とさせる仮係止用リテーナ側テーパ部を備えていることを特徴とする。
【０００９】
前記構成のコネクタによれば、リテーナを本係止位置から仮係止位置に操作する際、コネクタハウジングの仮係止用治具挿入孔からリテーナ操作治具が挿入される。このリテーナ操作治具の挿入動作に伴って、本係止位置にあるリテーナが仮係止位置に変位される。したがって、リテーナ操作治具によるリテーナの係止解除を容易に行うことができるとともに、リテーナ操作治具を必要以上に操作することなく、リテーナを本係止位置から仮係止位置に円滑かつ確実に変位させることができる。
また、前記リテーナが仮係止用リテーナ側テーパ部を備えることで、リテーナ操作治具が仮係止用リテーナ側テーパ部に摺接することで、本係止位置から仮係止位置への変位を簡単な構成で確実に行うことができる。
【００１０】
３）また、本発明のコネクタは、前記１）又は前記２）に記載のコネクタにおいて、
前記コネクタハウジングには、前記リテーナ操作治具を外部から挿入可能な本係止用治具挿入孔が設けられているとともに、前記リテーナには、前記リテーナ操作治具が前記本係止用治具挿入孔から挿入され、前記リテーナに摺接することで、仮係止位置にある該リテーナを本係止位置に変位させる本係止用リテーナ側テーパ部が設けられていることを特徴とする。
【００１１】
前記構成のコネクタによれば、リテーナを仮係止位置から本係止位置に操作する際、リテーナ操作治具がコネクタハウジングの本係止用治具挿入孔から挿入される。このリテーナ操作治具の挿入動作に伴って、リテーナの本係止用リテーナ側テーパ部にリテーナ操作治具が摺接して、仮係止位置にあるリテーナが本係止位置に変位される。したがって、リテーナ操作治具によりリテーナの本係止位置から仮係止位置への変位及び仮係止位置から  本係止位置への変位を容易に行うことができる。
【発明の効果】
【００１２】
本発明のコネクタによれば、リテーナ操作治具によるリテーナの係止解除を行うことができるとともに、リテーナ操作治具を必要以上に操作することなく、コネクタハウジング及びリテーナの係止機構の破損等を防止することができ、更にリテーナ操作治具の構造及び形状を特殊なものとする必要なく、リテーナ操作治具による円滑かつ確実な操作を行うことができるという効果が得られる。
【発明を実施するための最良の形態】
【００１３】
以下、図示実施形態により、本発明を説明する。
図１は本発明の一実施形態であるコネクタの嵌合前で、アウタハウジングを一部除いた状態を示す斜視図であり、図２は図１のリテーナ組付前の状態を示す斜視図、図３は図１のリテーナ及びレバーの組付後で、レバーが仮係止位置にある状態を示す斜視図、図４は図１の要部断面図である。また、図５は図１のリテーナ操作治具による本係止位置から仮係止位置へのリテーナ変位操作を説明するための仮係止用治具挿入孔周辺を示す要部概略断面図であり、図５（ａ）はリテーナが本係止位置にある状態を、図５（ｂ）はリテーナが仮係止位置に変位された状態をそれぞれ示す。更に、図６は図１のリテーナ操作治具による仮係止位置から本係止位置へのリテーナ変位操作を説明するための本係止用治具挿入孔周辺を示す要部概略断面図であり、図６（ａ）はリテーナが仮係止位置にある状態を、図６（ｂ）はリテーナが本係止位置に変位された状態をそれぞれ示す。
【００１４】
図１及び図２を参照すると、雌コネクタ１０及び雄コネクタ３０は、雌コネクタ１０のロックアーム１２先端の係合部（図示しない）と、雄コネクタ３０の係合突起３２との係合により、雌雄一組のコネクタハウジング１１，３１を嵌合ロックされる。また、雌コネクタ１０及び雄コネクタ３０は、雌コネクタ１０のインナハウジング１１ａに回動可能に装着されたレバー４０の回動操作により、各コネクタハウジング１１，３１の嵌合ロック動作及び嵌合ロックの解除動作が行われる。
【００１５】
雌コネクタ１０は、コネクタハウジング１１をインナハウジング１１ａ及びアウタハウジング１１ｂから構成される二重構造である。雌コネクタ１０のインナハウジング１１ａ内には、端子収容室が設けられており、端子収容室には、複数の雌型端子１７が収容される。また、雌コネクタ１０のインナハウジング１１ａの外面には、ロックアーム１２が、長手方向中央付近を中心として、シーソー状に揺動可能に設けられ、インナハウジング１１ａ後端側から取り回される電線を保護するカバー５０が外嵌される。また、レバー４０の嵌合溝４５は、アウタハウジング１１ｂ内面に突設された作用点ボス１５が摺動可能に嵌挿され、ガイド溝４６は、アウタハウジング１１ｂ内面に突設されたレバー回動ガイドボス１６が摺動可能に嵌挿されている。
【００１６】
ロックアーム１２の係合部は、雌コネクタ１０への雄コネクタ３０の嵌合に伴って、雄コネクタ３０の係合突起３２に設けられたテーパ部３２ａに乗り上げるようにして、係合突起３２と係合されるとともに、係合突起３２を乗り越した状態で、各コネクタ１０，３０のコネクタハウジング１１，３１を嵌合ロックさせる。
【００１７】
図２〜図６を参照すると、雌コネクタ１０のアウタハウジング１１ｂには、保護壁１３が、レバー４０の外面を覆うように設けられる。保護壁１３は、レバー４０及びロックアーム１２を保護する。保護壁１３には、リテーナ挿入口１３ａが穿設されており、リテーナ挿入口１３ａには、雌型端子１７の二次係止部材であるリテーナ７０（後述）が挿入される。
【００１８】
雌コネクタ１０のインナハウジング１１ａには、雌型端子１７の一次係止部材であるランス１８が設けられる。ランス１８は、雌型端子１７を雌コネクタ１０のインナハウジング１１ａに係止させる。
【００１９】
また、雌コネクタ１０のインナハウジング１１ａにおける雄コネクタ３０との嵌合面と反対側（図２及び図３中、手前側）の電線引出面には、仮係止用治具挿入孔１９及び本係止用治具挿入孔２０がそれぞれ、雌コネクタ１０のインナハウジング１１ａへの雌型端子１７の挿入方向（図４中、左右方向）に沿って設けられる。
【００２０】
仮係止用治具挿入孔１９は、仮係止用リテーナ側テーパ部７１（後述）を外部に連通させており、リテーナ操作治具６０を外部から挿入可能である。仮係止用治具挿入孔１９は、リテーナ操作治具６０に設けられた治具側テーパ部６１を、リテーナ操作治具６０の挿入動作に伴ってリテーナ７０の仮係止用リテーナ側テーパ部７１に摺接させる。
【００２１】
本係止用治具挿入孔２０は、本係止用リテーナ側テーパ部７２（後述）を外部に連通させており、リテーナ操作治具６０を外部から挿入可能である。本係止用治具挿入孔２０は、リテーナ操作治具６０の治具側テーパ部６１を、リテーナ操作治具６０の挿入動作に伴ってリテーナ７０の本係止用リテーナ側テーパ部７２に摺接させる。
【００２２】
なお、仮係止用治具挿入孔１９及び本係止用治具挿入孔２０はそれぞれ、雌コネクタ１０のインナハウジング１１ａにおける雄コネクタ３０との嵌合面（図２及び図３中、向こう側の面）に設けることもできる。また、仮係止用治具挿入孔１９及び本係止用治具挿入孔２０と、仮係止用リテーナ側テーパ部７１及び本係止用リテーナ側テーパ部７２とは、雌型端子１７の挿入方向に沿って設ける必要はなく、雌型端子１７の挿入方向に対して直角方向に設けることも可能である。
【００２３】
リテーナ７０は、雌コネクタ１０のアウタハウジング１１ｂの保護壁１３のリテーナ挿入口１３ａから挿入され、雌コネクタ１０のインナハウジング１１ａ内に設けられたリテーナ収容部２１に収容される。リテーナ７０は、リテーナ収容部２１内において、雌コネクタ１０のインナハウジング１１ａに対して所定の仮係止位置（図５（ｂ）及び図６（ａ））に係止された状態で、雌型端子１７を雌コネクタ１０のインナハウジング１１ａに挿入可能とさせるとともに、所定の本係止位置（図５（ａ）及び図６（ｂ））に変位された状態で、雌型端子１７を雌コネクタ１０のインナハウジング１１ａに係止させ、ランス１８による係止と併せて雌型端子１７を二重係止状態とする。
なお、雌型端子１７を二重係止しない場合、リテーナ７０とランス１８を一体化して、仮係止時にランス１８で雌型端子１７を係止し、本係止時にはランス１８による係止が解除され、リテーナ７０のみにより係止される構成も可能である。
【００２４】
リテーナ７０には、仮係止用リテーナ側テーパ部７１及び本係止用リテーナ側テーパ部７２がそれぞれ、雌コネクタ１１のインナハウジング１１ａの仮係止用治具挿入孔１９及び本係止用治具挿入孔２０に対応して設けられる。
なお、仮係止用リテーナ側テーパ部７１及び本係止用リテーナ側テーパ部７２は、リテーナ操作治具６０側に治具側テーパ部６１が設けられていれば、必ずしも設ける必要はない。また、治具側テーパ部６１においても、リテーナ側テーパ部７１，７２が設けられていれば、必ずしも設ける必要はない。
【００２５】
仮係止用リテーナ側テーパ部７１は、仮係止用治具挿入孔１９に挿入されたリテーナ操作治具６０の図５中の上向き状態の治具側テーパ部６１との摺接に伴って、本係止位置にあるリテーナ７０を仮係止位置に変位させる（図５（ａ）に示す状態→図５（ｂ）に示す状態）。すなわち、仮係止用リテーナ側テーパ部７１は、仮係止用治具挿入孔１９からのリテーナ操作治具６０の挿入動作に伴う治具側テーパ部６１との摺接により、リテーナ７０を本係止位置から仮係止位置に変位させる。これにより、リテーナ７０による雌型端子１７の係止が解除される。
【００２６】
本係止用リテーナ側テーパ部７２は、本係止用治具挿入孔２０に挿入されたリテーナ操作治具６０の図６中の下向き状態の治具側テーパ部６１との摺接に伴って、仮係止位置にあるリテーナ７０を本係止位置に変位させる（図６（ａ）に示す状態→図６（ｂ）に示す状態）。すなわち、本係止用リテーナ側テーパ部７２は、本係止用治具挿入孔２０からのリテーナ操作治具６０の挿入に伴う治具側テーパ部６１との摺接により、リテーナ７０を仮係止位置から本係止位置に変位させる。これにより、リテーナ７０による雌型端子１７の係止が行われる。
【００２７】
したがって、リテーナ操作治具６０を、レバー４０及び保護壁１３に遮られることなく、雌コネクタ１０のインナハウジング１１ａの仮係止用治具挿入孔１９又は本係止用治具挿入孔２０に挿入することができ、レバー４０及び保護壁１３を雌コネクタ１０のコネクタハウジング１１から取り外す必要がない。これにより、リテーナ操作治具６０によるリテーナ７０の係止解除（図５に示す本係止位置→仮係止位置）又は係止（図６に示す仮係止位置→本係止位置）を、円滑かつ確実に短時間で行うことができる。
【００２８】
また、リテーナ操作治具６０は、雌コネクタ１１のインナハウジング１１ａの仮係止用治具挿入孔１９又は本係止用治具挿入孔２０への挿入動作に伴って、治具側テーパ部６１をリテーナ７０の仮係止用リテーナ側テーパ部７１又は本係止用リテーナ側テーパ部７２に摺接され、リテーナ７０を所定の方向に所定量だけ変位させる。
したがって、リテーナ操作治具６０を仮係止用治具挿入孔１９又は本係止用治具挿入孔２０に挿入するだけの単純な操作で、リテーナ７０を仮係止位置又は本係止位置に変位させることができ、リテーナ操作治具６０を必要以上に操作する恐れがなく、雌コネクタ１０のコネクタハウジング１１及びリテーナ７０の係止機構の破損等を確実に防止することができる。更に、リテーナ操作治具６０の構造及び形状を特殊なものとする必要なく、リテーナ操作治具６０による円滑かつ確実なリテーナ７０の位置操作を、低コストに実現することができる。
【００２９】
本発明により得られるコネクタは、リテーナ操作治具によるリテーナの係止解除（本係止位置→仮係止位置）又は係止（仮係止位置→本係止位置）を、円滑かつ確実に短時間で行いたい場合に好適に用いられる。
【図面の簡単な説明】
【００３０】
【図１】本発明の一実施形態であるコネクタ構造の雌コネクタへの雄コネクタ嵌合前で、かつ、アウタハウジングを一部除いた状態を示す斜視図である。
【図２】図１のコネクタ構造の雌コネクタへのリテーナ組付前の状態を示す斜視図である。
【図３】図１のコネクタ構造の雌コネクタへのリテーナ及びレバーの組付後で、かつ、レバーが仮係止位置にある状態を示す斜視図である。
【図４】図１のコネクタ構造の要部断面図である。
【図５】図１のコネクタ構造のリテーナ操作治具による本係止位置から仮係止位置へのリテーナ変位操作を説明するための仮係止用治具挿入孔周辺を示す要部概略断面図である。
【図６】図１のコネクタ構造のリテーナ操作治具による仮係止位置から本係止位置へのリテーナ変位操作を説明するための本係止用治具挿入孔周辺を示す要部概略断面図である。
【図７】特許文献１で開示されているコネクタ及びリテーナ操作用治具を示す断面図である。
【符号の説明】
【００３１】
１０  雌コネクタ
１１  コネクタハウジング
１１ａ  インナハウジング
１１ｂ  アウタハウジング
１２  ロックアーム
１３  保護壁
１３ａ  リテーナ挿入口
１７  雌型端子
１８  ランス
１９  仮係止用治具挿入孔
２０  本係止用治具挿入孔
２１  リテーナ収容部
３０  雄コネクタ
３１  コネクタハウジング
６０  リテーナ操作治具
６１  治具側テーパ部
７０  リテーナ
７１  仮係止用リテーナ側テーパ部
７２  本係止用リテーナ側テーパ部
【図１】
2007188783.tif 000003
【図２】
2007188783.tif 000004
【図３】
2007188783.tif 000005
【図４】
2007188783.tif 000006
【図５】
2007188783.tif 000007
【図６】
2007188783.tif 000008
【図７】
2007188783.tif 000009